(57)【要約】【課題】  ピット壁にアンカーボルトの施行を極力回避することにより、防水モルタルを破損しないようにしたエレベータのピット構造を得る。【解決手段】  昇降路ピット部１に巻上機５を配設し、主ロープ４によって生じる巻上機５の浮き上がり荷重をピット部１で支えるようにしたものにおいて、ピット部１に、巻上機５が載置された機械台３の浮き上がり荷重を支える支持体を設ける。この支持体は、ピット部１の側面壁に施行された機械台固定用の固定穴もしくは溝２、ピット部１の側面壁に設置された浮き上がり防止ブラケット７、巻上機５が載置された機械台３とともに、その自重により巻上機５の浮き上がり荷重を支えるピットユニット８のいずれかである。【選択図】    図１
2005200131.tif 000002
【特許請求の範囲】
【請求項１】
昇降路ピット部に巻上機を配設し、主ロープによって生じる巻上機の浮き上がり荷重をピット部で支えるようにしたエレベータのピット構造において、
前記ピット部に、前記巻上機が載置された機械台の浮き上がり荷重を支える支持体を設けたことを特徴とするエレベータのピット構造。
【請求項２】
支持体は、ピット部の側面壁に施行された機械台固定用の固定穴もしくは溝であることを特徴とする請求項１記載のエレベータのピット構造。
【請求項３】
支持体は、ピット部の側面壁に設置された浮き上がり防止ブラケットであることを特徴とする請求項１記載のエレベータの乗場出入口装置。
【請求項４】
支持体は、巻上機が載置された機械台とともに、その自重により巻上機の浮き上がり荷重を支えるピットユニットであることを特徴とする請求項１記載のエレベータのピット構造。
【請求項５】
ピットユニットには、浮き上がり防止ブラケット及びピットユニット固定ブラケットが設けられていることを特徴とする請求項４記載のエレベータのピット構造。
【請求項６】
支持体と機械台との間に防振ゴムを設けたことを特徴とする請求項１〜請求項４のいずれかに記載のエレベータのピット構造。
【発明の詳細な説明】
【技術分野】
【０００１】
この発明は、エレベータのピット構造に関するものである。
【背景技術】
【０００２】
従来、エレベータ昇降路のピット構造においては、ピット構造が巻上機の浮き上がり荷重を支える構造ではないため、ピット部にエレベータ巻上機を固定する際、ピット底部もしくはピット壁にアンカーボルトを施行して巻上機の浮き上がり荷重を支えている。
また、他の従来技術として、昇降路に立設されるガイドレールから掛かる比較的大きな荷重を受けることができるエレベータのピット構造およびピット施行方法がある（例えば、特許文献１参照）。  
【０００３】
【特許文献１】特開２００２−３３２１７６号公報
【発明の開示】
【発明が解決しようとする課題】
【０００４】
従来のエレベータのピット構造では、巻上機の浮き上がり荷重を支えるためにアンカーボルトが多数必要であること、ピット施行後にアンカーボルトを打つため、防水モルタルを切削する必要があること、アンカーボルトの施行により、ピット構造に制限がある（ピット周りには配管禁止）等の問題があった。また、ピット構造部分に直接機械台を埋め込む場合もあるが、この場合ピット施行時に機械台の芯出しを行う必要があり、建築工事側への負担が大きいだけでなく、機械台の埋め込み施工ミスがあった場合、芯出しの修正が困難となり、多大な時間を要するという問題があった。また、特許文献１記載のものは、ガイドレールからの荷重を受けるようにしたものであり、主ロープによって生じる巻上機の浮き上がり荷重を支えるものではなく、しかもピット部に掛かる荷重はアンカーボルトにて支えられ、ピットの壁厚やピット周りの構造物（配管等）に制限が生じるという問題がある。
【０００５】
この発明は、上述のような課題を解決するためになされたもので、その目的は、アンカーボルトの施行を極力回避するようにしたエレベータのピット構造を提供するものである。
【課題を解決するための手段】
【０００６】
この発明に係るエレベータのピット構造は、昇降路ピット部に巻上機を配設し、主ロープによって生じる巻上機の浮き上がり荷重をピット部で支えるようにしたものにおいて、
ピット部に、巻上機が載置された機械台の浮き上がり荷重を支える支持体を設けたものである。
【発明の効果】
【０００７】
この発明は、ピット部に、巻上機が載置された機械台の浮き上がり荷重を支える支持体を設けたので、巻上機に掛かる上向きの浮き上がり荷重を抑えることができ、アンカーボルトの施行を極力回避できるエレベータのピット構造を実現することができる。
【発明を実施するための最良の形態】
【０００８】
実施の形態１．
図１はこの発明の実施の形態１におけるエレベータのピット構造を示す正面図、図２はこの発明の実施の形態１におけるエレベータのピット構造を示す側面図である。
【０００９】
図において、この発明の実施の形態１におけるピット構造は、エレベータ昇降路のピット１の側面壁に、機械台固定用の固定穴もしくは溝２を施行する。そして、この固定穴もしくは溝２に機械台３を挿入して、主ロープ４によって生じる機械台３上に設置された巻上機５の浮き上がり荷重を抑える構造である。上記固定穴もしくは溝２は、機械台３の固定に必要なピット１の側面壁の一部もしくはピット１の側面壁全域に施行されるものである。これにより、エレベータ据付時に自由に機械台３を移動できる隙間を確保しておく。また、巻上機５の浮き上がり荷重は、固定穴もしくは溝２の天井面部２ａで支持され、固定穴もしくは溝２が施行されたピット１の構造は巻上機５の浮き上がり荷重を十分に支えることができる構造とする。なお、巻上機５の防振は、固定穴もしくは溝２の天井面部２ａと機械台３との間の隙間に防振ゴム６を設置すること、および機械台３と巻上機５の固定部分との間に防振ゴム６を設置することにより行われている。
【００１０】
このように構成されたエレベータのピット構造は、ピット壁に機械台固定用の固定穴もしくは溝を施行し、その機械台固定用の穴もしくは溝に機械台を挿入して固定することにより、巻上機に掛かる上向きの浮き上がり荷重を抑えることができるため、アンカーボルトの施行を極力回避できるエレベータのピット構造を実現することができる。
【００１１】
実施の形態２．
図３はこの発明の実施の形態２におけるエレベータのピット構造を示す正面図である。
図３において、上記実施の形態１と同一部分は同一符号で示す。この実施の形態２においては、巻上機５の浮き上がり荷重を支える構造としては、ピット１の側面壁に浮き上がり防止ブラケット７を設けている。この浮き上がり防止ブラケット７は、予めピット１へ埋め込まれる構造もしくはピット１壁に鋼板を設置し、この鋼板に溶接された構造であっても良い。なお、巻上機５の防振は、浮き上がり防止ブラケット７の下面と機械台３との間に防振ゴム６を設置すること、および機械台３と巻上機５の固定部分との間に防振ゴム６を設置することにより行われている。
【００１２】
このように構成されたエレベータのピット構造は、ピット壁に機械台固定用の固定穴もしくは溝を施行しなくても良く、ピット１の側面壁に設置した浮き上がり防止ブラケットにより、巻上機に掛かる上向きの浮き上がり荷重を抑えることができるため、アンカーボルトの施行を極力回避できるエレベータのピット構造を実現することができる。
【００１３】
実施の形態３．
図４はこの発明の実施の形態３におけるエレベータのピット構造を示す正面図である。
図４において、上記実施の形態１と同一部分は同一符号で示す。この実施の形態３においは、機械台３、巻上機５、浮き上がり防止ブラケット７、この浮き上がり防止ブラケット７が内側に埋め込まれたピットユニット８およびこのピットユニット８を建築側のピット１構造物に固定するためのピットユニット固定ブラケット９から構成されている。また、ピットユニット８の外側面及びピット１の側面壁には互いに噛み合う歯部がそれぞれ形成されており、これらの歯部間に上記ピットユニット固定ブラケット９が設けられている。これにより、巻上機５の浮き上がり荷重は、ピットユニット８の自重により抑えることができる。なお、巻上機５の防振は、浮き上がり防止ブラケット７の下面と機械台３との間に防振ゴム６を設置すること、および機械台３と巻上機５の固定部分との間に防振ゴム６を設置することにより行われている。
【００１４】
このように構成されたエレベータのピット構造は、機械台３、巻上機５、浮き上がり防止ブラケット７、ピットユニット８およびピットユニット固定ブラケット９から構成されるので、機械台３、巻上機５および浮き上がり防止ブラケット７を含むピットユニット８の自重によって、巻上機に掛かる上向きの浮き上がり荷重を抑えることができ、しかもエレベータピット部は、ユニット化されているため、そのユニットを取り付けるブラケットを建築側へ施工するだけで良い。また、ピット部をユニット構造として組み立てる際に、芯出しを行うため、エレベータ据付時の芯出し作業の低減に繋がる。
【図面の簡単な説明】
【００１５】
【図１】この発明の実施の形態１におけるエレベータのピット構造を示す正面図である。
【図２】この発明の実施の形態１におけるエレベータのピット構造を示す側面図である。
【図３】この発明の実施の形態２におけるエレベータのピット構造を示す正面図である。
【図４】この発明の実施の形態３におけるエレベータのピット構造を示す正面図である。
【符号の説明】
【００１６】
１  昇降路ピット
２  機械台固定用の固定穴もしくは溝
３  機械台
４  主ロープ
５  巻上機
６  防振ゴム
７  浮き上がり防止ブラケット
８  ピットユニット
９  ピットユニット固定ブラケット
【図１】
2005200131.tif 000003
【図２】
2005200131.tif 000004
【図３】
2005200131.tif 000005
【図４】
2005200131.tif 000006